(57)【要約】      （修正有）【課題】電流の流れを直感的に把握することができる電球ソケット及び通電実験装置を提供する。【解決手段】通電実験装置１は、電球５を保持するための電球ソケット１０と、通電状態及び非通電状態を制御するスイッチ４０と、電池７を収納するための電池ボックス３０とから主に構成されている。又、電池ボックス３０と電球ソケット１０とを接続する第１電線６１と、電球ソケット１０とスイッチ４０とを接続する第２電線６２と、スイッチ４０と電池ボックス３０とを接続する第３電線６３とを備え、第１電線６１から第３電線６３の各々が電池７の電極の各々に直接接するように構成されている。電球ソケット１０は第１電線６１及び第２電線６２の各々が電球５の端子の各々に直接接するように構成されている。【選択図】図１
0003152889.tif 000002
【実用新案登録請求の範囲】
【請求項１】
一方端子となる口金の胴部と他方端子となる前記口金の中央接点部とを有する電球が装着される電球ソケットであって、
前記胴部に係合できると共に、係合状態の前記電球の前記胴部に第１電線を直接接するように配置できるソケット胴部と、
前記ソケット胴部に脱着自在に取り付けられ、前記係合状態の前記電球の前記中央接点部に第２電線を直接接するように配置できるソケット端部とを備えた、電球ソケット。
【請求項２】
前記ソケット胴部は、一方側の第１開放部から前記胴部が螺合する螺合部分を有する筒体を含み、前記螺合部分には開口が形成され、前記第１電線は前記開口と前記第１開放部とを介して前記螺合部分に巻回され、
前記ソケット端部は、前記筒体の他方側の第２開放部に挿入自在の一対の脚体と、前記脚体の各々を連結する連結体とを含み、前記第２電線は前記連結体に巻回される、請求項１記載の電球ソケット。
【請求項３】
前記ソケット端部は、前記ソケット胴部に挿入後前記筒体の周方向に回転させると、前記ソケット胴部に対して抜け止め状態に係合する、請求項２記載の電球ソケット。
【請求項４】
前記ソケット胴部は、透明材料より構成される、請求項１から請求項３のいずれかに記載の電球ソケット。
【請求項５】
通電状態を確認するための通電実験装置であって、
電球を保持することができる電球ソケットと、
通電状態及び非通電状態を制御するスイッチと、
電池を収納することができる電池ボックスと、
前記電池ボックスと前記電球ソケットとを接続する第１電線と、
前記電球ソケットと前記スイッチとを接続する第２電線と、
前記スイッチと前記電池ボックスとを接続する第３電線とを備え、
前記第１電線から前記第３電線の各々が、前記電球ソケットに保持された電球の端子の各々及び前記電池ボックスに収納された電池の電極の各々に直接接すると共に、前記第２電線及び前記第３電線が、前記通電状態において直接接するように、前記電球ソケット、前記スイッチ及び前記電池ボックスが構成される、通電実験装置。
【請求項６】
前記電球は、一方端子となる口金の胴部と他方端子となる前記口金の中央接点部とを有し、
前記電球ソケットは、前記胴部に係合できると共に、係合状態の前記電球の前記胴部に前記第１電線を直接接するように配置できるソケット胴部と、前記ソケット胴部に脱着自在に取り付けられ、前記係合状態の前記電球の前記中央接点部に前記第２電線を直接接するように配置できるソケット端部とを含む、請求項５記載の通電実験装置。
【請求項７】
前記電池ボックスは、前記電池を収納することができる収納体と、前記収納体に取り付けられ、収納時の前記電池の前記電極の各々に対向する位置に設けられた一対の支持体とを含み、
前記第１電線及び前記第３電線の各々は、収納時の前記電池の前記電極の各々に接するように前記支持体の各々に巻回される、請求項５又は請求項６記載の通電実験装置。
【考案の詳細な説明】
【技術分野】
【０００１】
この考案は電球ソケット及び通電実験装置に関し、特に、小学生の理科の実験等で使用するための電球ソケット及び通電実験装置に関するものである。
【背景技術】
【０００２】
従来の電球ソケットは、その一方側に電球の口金をねじ込むための開口を有するボディーと、ボディーの他方側の開口を覆うカバーとから構成されているものがある（例えば、特許文献１）。このような電球ソケットについて、以下に説明する。
【０００３】
特許文献１で開示されたソケットは、その一方側に電球の口金をねじ込むための開口を有する円筒状のボディーと、ボディーの他方側の開口を覆うカバーとから主に構成されている。カバーには、口金の各端子に接触するリード端子と、電源線の先端を圧入して接続することができる接続端子と、接続端子から電源線を外すためのリリース釦とが組み込まれている。
そして、カバーに組み込まれた各構成部材は、その配置状態が安定して支持されるため、ボディーとカバーとの組立が極めて簡単におこなうことができるとされている。
【先行技術文献】
【特許文献】
【０００４】
【特許文献１】実開昭５９−２８９９１号公報
【考案の概要】
【考案が解決しようとする課題】
【０００５】
上記のような従来の電球ソケットでは、電源線からの電気がリリース釦、接続端子及びリード端子を介して電球に到達している。従って、特に小学校の理科の授業で通電実験をおこなう際には、その電流の流れが直感的には把握し難いものとなっていた。
【０００６】
この考案は、上記のような課題を解決するためになされたもので、電流の流れを直感的に把握することができる電球ソケット及び通電実験装置を提供することを目的とする。
【課題を解決するための手段】
【０００７】
上記の目的を達成するために、請求項１記載の考案は、一方端子となる口金の胴部と他方端子となる口金の中央接点部とを有する電球が装着される電球ソケットであって、胴部に係合できると共に、係合状態の電球の胴部に第１電線を直接接するように配置できるソケット胴部と、ソケット胴部に脱着自在に取り付けられ、係合状態の電球の中央接点部に第２電線を直接接するように配置できるソケット端部とを備えたものである。
【０００８】
このように構成すると、電球の各端子に第１電線及び第２電線が直接接する。
【０００９】
請求項２記載の考案は、請求項１記載の考案の構成において、ソケット胴部は、一方側の第１開放部から胴部が螺合する螺合部分を有する筒体を含み、螺合部分には開口が形成され、第１電線は開口と第１開放部とを介して螺合部分に巻回され、ソケット端部は、筒体の他方側の第２開放部に挿入自在の一対の脚体と、脚体の各々を連結する連結体とを含み、第２電線は連結体に巻回されるものである。
【００１０】
このように構成すると、第１電線及び第２電線は巻回によって固定される。
【００１１】
請求項３記載の考案は、請求項２記載の考案の構成において、ソケット端部は、ソケット胴部に挿入後筒体の周方向に回転させると、ソケット胴部に対して抜け止め状態に係合するものである。
【００１２】
このように構成すると、ソケット端部はソケット胴部から不用意に脱落する虞が無い。
【００１３】
請求項４記載の考案は、請求項１から請求項３のいずれかに記載の考案の構成において、ソケット胴部は、透明材料より構成されるものである。
【００１４】
このように構成すると、ソケット胴部内における第１電線及び第２電線の接続状態が目視できる。
【００１５】
請求項５記載の考案は、通電状態を確認するための通電実験装置であって、電球を保持することができる電球ソケットと、通電状態及び非通電状態を制御するスイッチと、電池を収納することができる電池ボックスと、電池ボックスと電球ソケットとを接続する第１電線と、電球ソケットとスイッチとを接続する第２電線と、スイッチと電池ボックスとを接続する第３電線とを備え、第１電線から第３電線の各々が、電球ソケットに保持された電球の端子の各々及び電池ボックスに収納された電池の電極の各々に直接接すると共に、第２電線及び第３電線が、通電状態において直接接するように、電球ソケット、スイッチ及び電池ボックスが構成されるものである。
【００１６】
このように構成すると、電球、スイッチ及び電池の各々が、第１電線から第３電線を介して直接接続される。
【００１７】
請求項６記載の考案は、請求項５記載の考案の構成において、電球は、一方端子となる口金の胴部と他方端子となる口金の中央接点部とを有し、電球ソケットは、胴部に係合できると共に、係合状態の電球の胴部に第１電線を直接接するように配置できるソケット胴部と、ソケット胴部に脱着自在に取り付けられ、係合状態の電球の中央接点部に第２電線を直接接するように配置できるソケット端部とを含むものである。
【００１８】
このように構成すると、ソケット胴部にソケット端部を取り付けた状態で、第１電線及び第２電線は電球の口金に接する。
【００１９】
請求項７記載の考案は、請求項５又は請求項６記載の考案の構成において、電池ボックスは、電池を収納することができる収納体と、収納体に取り付けられ、収納時の電池の電極の各々に対向する位置に設けられた一対の支持体とを含み、第１電線及び第３電線の各々は、収納時の電池の電極の各々に接するように支持体の各々に巻回されるものである。
【００２０】
このように構成すると、第１電線及び第３電線の各々は、巻回状態で電池の電極の各々に接する。
【考案の効果】
【００２１】
以上説明したように、請求項１記載の考案は、電球の各端子に第１電線及び第２電線が直接接するため、電流の流れを直感的に把握することができる。
【００２２】
請求項２記載の考案は、請求項１記載の考案の効果に加えて、第１電線及び第２電線は巻回によって固定されるため、第１電線及び第２電線の電球の各端子との接触状態が安定する。
【００２３】
請求項３記載の考案は、請求項２記載の考案の効果に加えて、ソケット端部はソケット胴部から不用意に脱落する虞が無いため、ソケット端部とソケット胴部との取り付け状態が安定する。
【００２４】
請求項４記載の考案は、請求項１から請求項３のいずれかに記載の考案の効果に加えて、ソケット胴部内における第１電線及び第２電線の接続状態が目視できるため、電流の流れをより明瞭に把握できる。
【００２５】
請求項５記載の考案は、電球、スイッチ及び電池の各々が、第１電線から第３電線を介して直接接続されるため、電球を点灯させるための電流の流れを直感的に把握することができる。
【００２６】
請求項６記載の考案は、請求項５記載の考案の効果に加えて、ソケット胴部にソケット端部を取り付けた状態で、第１電線及び第２電線は電球の口金に接するため、第１電線及び第２電線の電球との接続状態が安定する。
【００２７】
請求項７記載の考案は、請求項５又は請求項６記載の考案の効果に加えて、第１電線及び第３電線の各々は、巻回状態で電池の電極の各々に接するため、第１電線及び第３電線の各々と電池との接続状態が安定する。
【図面の簡単な説明】
【００２８】
【図１】この考案の第１の実施の形態による通電実験装置の通電状態を示す斜視図である。
【図２】図１で示した通電実験装置の電池を外した非通電状態を示す斜視図である。
【図３】図１で示した電球ソケットを示す拡大斜視図である。
【図４】図３で示した電球ソケットの各構成部材が分離した状態を示す分解斜視図である。
【図５】図３で示したＶ−Ｖラインの断面図である。
【図６】図１で示したスイッチの通電状態を示す拡大斜視図である。
【図７】図６で示したスイッチの非通電状態を示す拡大斜視図である。
【図８】図２で示した電池ボックスの拡大斜視図である。
【考案を実施するための形態】
【００２９】
図１はこの考案の第１の実施の形態による通電実験装置の通電状態を示す斜視図であり、図２は図１で示した通電実験装置の電池を外した非通電状態を示す斜視図である。
【００３０】
これらの図を参照して、通電実験装置１は、電球５を保持するための電球ソケット１０と、一対のレバー４１ａ、４１ｂによって通電状態及び非通電状態を制御するスイッチ４０と、電池７を収納するための電池ボックス３０とから主に構成されている。又、電池ボックス３０と電球ソケット１０とを接続する第１電線６１と、電球ソケット１０とスイッチ４０とを接続する第２電線６２と、スイッチ４０と電池ボックス３０とを接続する第３電線６３とを備えている。尚、各電線には、銅線よりなる導体にビニルよりなる絶縁体が被覆され、各々の両端部分のみ導体が露出している、いわゆる絶縁電線が使用されている。
【００３１】
そして、第１電線６１及び第２電線６２の各々は、電球ソケット１０に保持された電球５の端子の各々に直接接するように構成されている。又、第１電線６１及び第３電線６３の各々は、図１で示すような電池ボックス３０に収納された電池７の電極の各々に直接接するように構成されている。更に、第２電線６２及び第３電線６３の各々は、スイッチ４０のレバー４１ａ及びレバー４１ｂに取り付けられ、互いに直接接するように構成されている。このような第１電線６１、第２電線６２及び第３電線６３の各々と、電球ソケット１０、電池ボックス３０及びスイッチ４０の各々との接続構造については後述する。
【００３２】
そして、電球ソケット１０に電球５を装着し、電池ボックス３０に電池７を収納し、スイッチ４０のレバー４１ａ、４１ｂの各々に取り付けられた第２電線６２及び第３電線６３を直接接触させると、図１で示すように、通電実験装置１は通電状態となる。即ち、電球５が点灯する。
【００３３】
又、電池ボックス３０に収納された電池７を取り外す、あるいはスイッチ４０のレバー４１ａ、４１ｂの各々の接触を解除すると、図２で示すように、通電実験装置１は非通電状態となる。即ち、電球５が消灯する。
【００３４】
ここで、電球ソケット１０と第１電線６１及び第２電線６２の各々との接続、及び電球ソケット１０の構造について、以下に説明する。
【００３５】
図３は図１で示した電球ソケットを示す拡大斜視図であり、図４は図３で示した電球ソケットの各構成部材が分離した状態を示す分解斜視図であり、図５は図３で示したＶ−Ｖラインの断面図である。
【００３６】
これらの図を参照して、電球５は、一方端子となる円筒状の胴部７２と、図における下方端に配置された他方端子となる中央接点部７３とを備える口金７１を有している。そして、電球ソケット１０は、電球５を装着するためのソケット胴部となる、透明なプラスチックの射出成形により形成された筒体１１と、筒体１１に脱着自在に取り付けられた、透明なプラスチックの射出成形により形成されたソケット端部１２とから構成されている。
【００３７】
筒体１１は、筒状に形成されているため、その両端に第１開放部１６及び第２開放部１７を有している。又、その内面には、口金７１の胴部７２が螺合するための螺合部分１８が形成されており、電球５の胴部７２は、第１開放部１６を介して螺合部分１８に螺合される。更に、筒体１１の螺合部分１８には開口１４が形成されると共に、第２開放部１７側には、筒体１１の周方向に延びる開口１５ａ及び開口１５ａに対向する位置に同一形状の開口１５ｂ（図示せず）が形成されている。
【００３８】
上述した通り、第１電線６１は、銅線６５ａと銅線６５ａを被覆するポリエステル絶縁体６６ａとから構成されており、第１電線６１の両端部は銅線６５ａが露出している。そして、この露出した銅線６５ａは、開口１４と第１開放部１６とを介して螺合部分１８に巻回されている。即ち、電球５の電球ソケット１０への装着状態においては、螺合部分１８には電球５の一方端子である胴部７２が螺合されるため、図５に示すように第１電線６１の銅線６５ａと電球５の胴部７２とが直接接することになる。
【００３９】
ソケット端部１２は、筒体１１の第２開放部１７に挿入自在であって図における下方に延びる一対の脚体２３ａ、２３ｂと、脚体２３ａ、２３ｂの各々の上部に接続された突起体２４ａ、２４ｂと、脚体２３ａ、２３ｂを連結する連結体２５とから構成されている。
【００４０】
上述した通り、第２電線６２は、銅線６５ｂと銅線６５ｂを被覆するポリエステル絶縁体６６ｂとから構成されており、第２電線６２の両端部は銅線６５ｂが露出している。そして、この露出した銅線６５ｂは、連結体２５に巻回されている。即ち、電球５の装着状態においては、脚体２３ａ、２３ｂは第２開放部１７を介して筒体１１内に挿入することで、図５に示すように連結体２５に巻回された銅線６５ｂと電球５の他方端子である中央接点部７３とが直接接することになる。
【００４１】
又、突起体２４ａ、２４ｂ及び開口１５ａ、１５ｂ（図示せず）は、ソケット端部１２を筒体１１に挿入後、ソケット端部１２を反時計回りに筒体１１の周方向に回転させると、図３で示すように、互いが係合するように形成されている。従って、ソケット端部１２は筒体１１に対して抜け止め状態となるため、ソケット端部１２は筒体１１から不用意に脱落する虞が無くなる。そのため、ソケット端部１２と筒体１１との取り付け状態が安定する。
【００４２】
上述した通り、第１電線６１の銅線６５ａ及び第２電線６２の銅線６５ｂの各々は、筒体１１及びソケット端部１２の連結体２５の各々に巻回によって固定される。従って、第１電線６１の電球５の胴部７２との接触状態が安定すると共に、第２電線６２の電球５の中央接点部７３との接触状態が安定する。
【００４３】
そして、このような電球ソケット１０によって、電球５の胴部７２及び中央接点部７３に第１電線６１及び第２電線６２が直接接するため、電球５に対する電流の流れを直感的に把握することができる。
【００４４】
又、ソケット胴部である筒体１１は、透明なプラスチックによって形成されているため、筒体１１内における第１電線６１及び第２電線６２の各々と電球５との接続状態を外方から目視することができる。従って、上述した電流の流れをより明瞭に把握することができる。
【００４５】
次に、スイッチ４０と第２電線６２及び第３電線６３の各々との接続、及びスイッチ４０の構造について、以下に説明する。
【００４６】
図６は図１で示したスイッチの通電状態を示す拡大斜視図であり、図７は図６で示したスイッチの非通電状態を示す拡大斜視図である。
【００４７】
これらの図を参照して、スイッチ４０は、矩形状の底板４６と、底板４６の長手方向の両端部に接続された直方体形状の軸受部４７ａ、４７ｂと、軸受部４７ａ、４７ｂの各々に接続されるレバー４１ａ、４１ｂとから主に構成されている。尚、スイッチ４０の各構成部材はプラスチックの射出成形により形成されている。
【００４８】
レバー４１ａは、底部４６の短手方向に延びる軸５１ａと、軸５１ａから底部４６の長手方向に延びるレバー本体５２ａと、レバー本体５２ａの軸５１ａに対向する端部に接続された先端部５３ａとから構成されている。軸５１ａは、軸受部４７ａに回動自在に接続されている。又、レバー４１ｂも、レバー４１ａと同一の構成であり、その軸５１ｂが軸受部４７ｂに回動自在に接続されている。
【００４９】
そして、第２電線６２の露出した銅線６５ｂは、レバー４１ａの先端部５３ａに巻回されている。又、上述した通り、第３電線６３は、銅線６５ｃと銅線６５ｃを被覆するポリエステル絶縁体６６ｃとから構成されており、第３電線６３の両端部は銅線６５ｃが露出している。そして、この露出した銅線６５ｃは、レバー４１ｂの先端部５３ｂに巻回されている。尚、レバー４１ａの先端部５３ａとレバー４１ｂの先端部５３ｂとは、各々の回動範囲の一部が重なり合うように設定されている。従って、図６で示すような先端部５３ａ、５３ｂが重なり合う状態の時、先端部５３ａ、５３ｂに巻回された第２電線６２の銅線６５ｂと第３電線６３の銅線６５ｃとが直接接する。即ち、これらは導通（通電）状態となる。又、図７で示すような先端部５３ａ、５３ｂが離れた状態の時、先端部５３ａ、５３ｂに巻回された第２電線６２の銅線６５ｂと第３電線６３の銅線６５ｃとも離れることになる。即ち、非導通（非通電）状態となる。
【００５０】
又、スイッチ４０は、図６で示すような通電状態の位置にある先端部５３ａ、５３ｂを、その位置に固定するストッパー部材４４を更に備えている。ストッパー部材４４は、通電状態におけるレバー４１ｂの上方側において、レバー４１ｂの一部と平面視において重なるように形成された突起体４５を有している。この突起体４５によって、図７で示すレバー４１ｂの本来の位置（回動自在の状態の停止位置）から突起体４５の一部を介して図６で示す通電状態となる位置に移動させると、レバー４１ｂの上方（本来の位置）への回転移動が阻止され、先端部５３ａ、５３ｂの位置が保持される。従って、スイッチ４０の通電状態が安定する。そして、ストッパー部材４４による係合を解除したい時は、図６の矢印で示すようにストッパー部材４４を移動させると、突起体４５が移動して係合を解除することで、レバー４１ｂが上述した本来の位置に復帰する。ストッパー部材４４によって、レバー４１ａ、４１ｂによる通電及び非通電状態の切り替えが容易となる。
【００５１】
次に、電池ボックス３０と第１電線６１及び第３電線６３の各々との接続、及び電池ボックス３０の構造について、以下に説明する。
【００５２】
図８は図２で示した電池ボックスの拡大斜視図である。
【００５３】
図を参照して、電池ボックス３０は、プラスチックの射出成形により形成された、電池７を収納するための箱状の収納体３２と、収納体３２に取り付けられ、収納時の電池７の電極の各々に対向する位置に設けられた上下に延びる棒状のプラスチックよりなる一対の支持体３６ａ、３６ｂとから構成されている。
【００５４】
そして、第１電線６１の露出した銅線６５ａは、収納時の電池７の電極の一方に接するように支持体３６ａに巻回されている。又、第３電線６３の露出した銅線６５ｃは、収納時の電池７の電極の他方に接するように支持体３６ｂに巻回されている。即ち、電池７の電池ボックス３０への収納時においては、第１電線６１の銅線６５ａ及び第３電線６３の銅線６５ｃの各々と、電池７の電極の各々とが直接接することになる。
【００５５】
このように、第１電線６１の銅線６５ａ及び第３電線６３の銅線６５ｃの各々は、支持体３６ａ、３６ｂの各々に巻回によって固定される。従って、第１電線６１の収納時の電池７の電極の一方との接触状態が安定すると共に、第３電線６３の収納時の電池７の電極の他方との接触状態が安定する。
【００５６】
ここで、再度図１を参照して、この実施の形態による通電実験装置１においては、電球ソケット１０、電池ボックス３０及びスイッチ４０は、第１電線６１、第２電線６２及び第３電線６３によって、上述したように接続されている。即ち、電球ソケット１０、電池ボックス３０及びスイッチ４０の各々が、第１電線６１、第２電線６２及び第３電線６３介して直接接続されている。従って、電球５を点灯させるための全体の電流の流れを目視によって直感的に把握することができる通電実験装置１となり、小学生の教材として優れたものとなる。
【００５７】
尚、上記の第１の実施の形態では、電球ソケットはソケット胴部とソケット端部とを備える特定構造を有しているが、電球を保持することができるものであって、第１電線及び第２電線が、保持された電球の端子の各々に直接接するものであれば、他の構造であっても良い。
【００５８】
又、上記の第１の実施の形態では、ソケット胴部は特定形状の筒体を含むものであるが、電球の胴部に係合できると共に、係合状態の電球の胴部に第１電線を直接接するように配置できるものであれば、他の形状によって構成されていても良い。
【００５９】
更に、上記の第１の実施の形態では、ソケット端部は一対の脚体及び連結体によって構成されているが、筒体に脱着自在に取り付けられ、係合状態の電球の中央接点部に第２電線を直接接するように配置できるものであれば、他の形状によって構成されていても良い。
【００６０】
更に、上記の第１の実施の形態では、第１電線から第３電線の各々は対応する構成部材の各々に巻回して接続されているが、第１電線から第３電線の各々が、電球ソケットに保持された電球の端子の各々及び電池ボックスに収納された電池の電極の各々に直接接すると共に、第２電線及び第３電線がスイッチのレバーを介して通電状態において直接接していれば、巻回以外の方法で接続されていても良い。
【００６１】
更に、上記の第１の実施の形態では、ソケット端部は、突起体によって筒体に対して抜け止め状態に係合しているが、ソケット端部は筒体に挿入後、筒体の周方向に回転させることによって筒体に対して抜け止め状態に係合するものであれば、他の形状であっても良い。又、これらは抜け止め状態に係合しなくても良い。
【００６２】
更に、上記の第１の実施の形態では、ソケット胴部は透明なプラスチック素材より構成されているが、透明な材料であれば、他の材料で構成されていても良い。
【００６３】
更に、上記の第１の実施の形態では、電球ソケット、電池ボックス及びスイッチはプラスチック素材より構成されているが、透明又は不透明に限らず、どのような材料によって構成されていても良い。
【００６４】
更に、上記の第１の実施の形態では、電池ボックスは特定形状であるが、電池ボックスは電池を収納することができるものであって、第１電線及び第３電線が、収納された電池の電極の各々に直接接するものであれば、他の形状であっても良い。
【００６５】
更に、上記の第１の実施の形態では、スイッチは一対のレバーによって通電及び非通電状態を制御しているが、スイッチは通電状態及び非通電状態を制御できるものであって、第２電線及び第３電線が通電状態において直接接するものであれば、他の構造であっても良い。
【００６６】
更に、上記の第１の実施の形態では、各電線は導体と導体に被覆された絶縁体とで構成されているが、例えば、導体のみで構成されたもの等、通電可能なものであれば、他の部材で構成されていても良い。
【符号の説明】
【００６７】
１…通電実験装置
５…電球
７…電池
１０…電球ソケット
１１…筒体
１２…ソケット端部
１４…開口
１６…第１開放部
１７…第２開放部
１８…螺合部分
２３…脚体
２５…連結体
３０…電池ボックス
３２…収納体
３６…支持体
４０…スイッチ
６１…第１電線
６２…第２電線
６３…第３電線
７１…口金
７２…胴部
７３…中央接点部
尚、各図中同一符号は同一又は相当部分を示す。
【図１】
0003152889.tif 000003
【図２】
0003152889.tif 000004
【図３】
0003152889.tif 000005
【図４】
0003152889.tif 000006
【図５】
0003152889.tif 000007
【図６】
0003152889.tif 000008
【図７】
0003152889.tif 000009
【図８】
0003152889.tif 000010
【手続補正書】
【提出日】平成21年6月12日(2009.6.12)
【手続補正１】
【補正対象書類名】明細書
【補正対象項目名】００１５
【補正方法】変更
【補正の内容】
【００１５】
請求項５記載の考案は、通電状態を確認するための通電実験装置であって、請求項１記載の電球ソケットと、通電状態及び非通電状態を制御するスイッチと、電池を収納することができる電池ボックスと、電池ボックスと電球ソケットとを接続する第１電線と、電球ソケットとスイッチとを接続する第２電線と、スイッチと電池ボックスとを接続する第３電線とを備え、第１電線から第３電線の各々が、電球ソケットに装着された電球の端子の各々及び電池ボックスに収納された電池の電極の各々に直接接すると共に、第２電線及び第３電線が、通電状態において直接接するように、電球ソケット、スイッチ及び電池ボックスが構成されるものである。
【手続補正２】
【補正対象書類名】明細書
【補正対象項目名】００１６
【補正方法】変更
【補正の内容】
【００１６】
このように構成すると、電球の各端子に第１電線及び第２電線が直接接する。又、電球、スイッチ及び電池の各々が、第１電線から第３電線を介して直接接続される。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
請求項６記載の考案は、請求項５記載の考案の構成において、電池ボックスは、電池を収納することができる収納体と、収納体に取り付けられ、収納時の電池の電極の各々に対向する位置に設けられた一対の支持体とを含み、第１電線及び第３電線の各々は、収納時の電池の電極の各々に接するように支持体の各々に巻回されるものである。
【手続補正６】
【補正対象書類名】明細書
【補正対象項目名】００２５
【補正方法】変更
【補正の内容】
【００２５】
請求項５記載の考案は、電球の各端子に第１電線及び第２電線が直接接するため、電流の流れを直感的に把握することができる。又、電球、スイッチ及び電池の各々が、第１電線から第３電線を介して直接接続されるため、電球を点灯させるための電流の全体の流れを直感的に把握することができる。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】変更
【補正の内容】
【００２７】
請求項６記載の考案は、請求項５記載の考案の効果に加えて、第１電線及び第３電線の各々は、巻回状態で電池の電極の各々に接するため、第１電線及び第３電線の各々と電池との接続状態が安定する。
【手続補正９】
【補正対象書類名】実用新案登録請求の範囲
【補正対象項目名】全文
【補正方法】変更
【補正の内容】
【実用新案登録請求の範囲】
【請求項１】
一方端子となる口金の胴部と他方端子となる前記口金の中央接点部とを有する電球が装着される電球ソケットであって、
前記胴部に係合できると共に、係合状態の前記電球の前記胴部に第１電線を直接接するように配置できるソケット胴部と、
前記ソケット胴部に脱着自在に取り付けられ、前記係合状態の前記電球の前記中央接点部に第２電線を直接接するように配置できるソケット端部とを備えた、電球ソケット。
【請求項２】
前記ソケット胴部は、一方側の第１開放部から前記胴部が螺合する螺合部分を有する筒体を含み、前記螺合部分には開口が形成され、前記第１電線は前記開口と前記第１開放部とを介して前記螺合部分に巻回され、
前記ソケット端部は、前記筒体の他方側の第２開放部に挿入自在の一対の脚体と、前記脚体の各々を連結する連結体とを含み、前記第２電線は前記連結体に巻回される、請求項１記載の電球ソケット。
【請求項３】
前記ソケット端部は、前記ソケット胴部に挿入後前記筒体の周方向に回転させると、前記ソケット胴部に対して抜け止め状態に係合する、請求項２記載の電球ソケット。
【請求項４】
前記ソケット胴部は、透明材料より構成される、請求項１から請求項３のいずれかに記載の電球ソケット。
【請求項５】
通電状態を確認するための通電実験装置であって、
請求項１記載の電球ソケットと、
通電状態及び非通電状態を制御するスイッチと、
電池を収納することができる電池ボックスと、
前記電池ボックスと前記電球ソケットとを接続する前記第１電線と、
前記電球ソケットと前記スイッチとを接続する前記第２電線と、
前記スイッチと前記電池ボックスとを接続する第３電線とを備え、
前記第１電線から前記第３電線の各々が、前記電球ソケットに装着された電球の端子の各々及び前記電池ボックスに収納された電池の電極の各々に直接接すると共に、前記第２電線及び前記第３電線が、前記通電状態において直接接するように、前記電球ソケット、前記スイッチ及び前記電池ボックスが構成される、通電実験装置。
【請求項６】
前記電池ボックスは、前記電池を収納することができる収納体と、前記収納体に取り付けられ、収納時の前記電池の前記電極の各々に対向する位置に設けられた一対の支持体とを含み、
前記第１電線及び前記第３電線の各々は、収納時の前記電池の前記電極の各々に接するように前記支持体の各々に巻回される、請求項５記載の通電実験装置。